(57)【特許請求の範囲】
【請求項１】
デッキプレートの対向する傾斜したウェブの底面側で、ウェブの高さ方向中央部よりも上方に設けられた段部または溝部等の被係合部に係合可能な吊り金具であって、その吊り金具は、剛性のある吊り金具本体の長手方向の両端部に、前記被係合部に先端部が係合される弾性係止用アームを備え、その弾性係止用アームは、断面略への字状に屈曲した板材からなり、その断面略への字状に屈曲した板材の頂部が、剛性のある前記吊り金具本体の端部上端面よりも下方に位置し、前記吊り金具本体における間隔をおいて対向する各縦側板の長手方向の両端部に、上部になるにしたがって、漸次部材長手方向の外側になる急傾斜支承端面がそれぞれ設けられ、前記各縦側板の長手方向の両端部の各急傾斜支承端面により、それぞれ弾性係止用アームの基端側板体が支承可能にされ、前記急傾斜支承端面は、前記吊り金具本体における底板の延長線と急傾斜支承端面とのなす角度が前記底板の延長線と前記基端側板体とのなす角度と同じに設定された急傾斜支承端面とされ、前記各基端側板体の幅寸法は、間隔をおいた各縦側板の急傾斜支承端面の間の内側間寸法よりも広くされて、前記基端側板体の側部が支承可能にされ、前記吊り金具本体における底板に各基端側板体が一体に接続していることを特徴とするデッキプレート用吊り金具。
【請求項２】
吊り金具本体の長手方向の両端部の弾性係止用アームに、横方向に張り出す回り止めを備えていることを特徴とする請求項１に記載のデッキプレート用吊り金具。
【請求項３】
吊り金具本体の長手方向の一端部の弾性係止用アームの回り止めと、他端部の弾性係止用アームの回り止めとは、吊り金具本体の幅方向で互いに異なる方向に張り出されていることを特徴とする請求項２に記載のデッキプレート用吊り金具。
【請求項４】
各弾性係止用アームにおける前記回り止めと幅方向反対側のコーナー部は、平面視で円弧状部とされていることを特徴とする請求項２または３に記載のデッキプレート用吊り金具。
【請求項５】
前記弾性係止用アームと回り止めとは、溶接を用いないで、吊り金具本体に一体に屈曲連設されていることを特徴とする請求項２〜４のいずれか１項に記載のデッキプレート用吊り金具。
【請求項６】
吊り金具本体および弾性係止用アームは一枚の鋼板に折り曲げ加工が施されて屈曲形成されていることを特徴とする請求項１〜５のいずれか１項に記載のデッキプレート用吊り金具。
【請求項７】
吊り金具本体の中央部に雌ねじ孔を有することを特徴とする請求項１〜６のいずれか１項に記載のデッキプレート用吊り金具。
【請求項８】
弾性係止用アームの基端側板体と先端側板体とのなす角度が、２０度〜９０度とされていることを特徴とする請求項１〜７のいずれか１項に記載のデッキプレート用吊り金具。
【請求項９】
断面略への字状に屈曲した板材の頂部に脆弱部が設けられていることを特徴とする請求項１〜８のいずれか１項に記載のデッキプレート用吊り金具。
【請求項１０】
請求項１〜９のいずれか１項に記載のデッキプレート用吊り金具が、デッキプレートの対向する傾斜ウェブの底面側で、ウェブの段部または溝部等の被係合部に係合されていると共にデッキプレート用吊り金具に支持ボルトの上部雄ねじ軸部がねじ込まれていることを特徴とする吊り構造。
【請求項１１】
デッキプレートの対向する傾斜ウェブの底面側で、ウェブの段部または溝部等の被係合部が、ウェブの高さ方向中央よりも上位の位置にそれぞれ設けられ、前記各被係合部にデッキプレート用吊り金具の両端部の弾性係止用アームの先端部がそれぞれ挿入係止されていることを特徴とする請求項１０に記載の吊り構造。
【発明の詳細な説明】
【技術分野】
【０００１】
本発明は、デッキプレートの上にコンクリートを打設して床スラブを形成した場合に、この床スラブ（デッキプレート床）等の下部空間に設ける天井、設備用配管、ダクト等を支持するために床スラブの下面に取り付ける吊り金具およびそれを使用した吊り構造に関する。
【背景技術】
【０００２】
従来、デッキプレートの上にコンクリートを打設して形成した床スラブの下部空間に配管、ダクトなどを設置する場合、コンクリート打設前にデッキプレートの所定位置にドリルで穴をあけ、この穴にインサートを取り付けておき、打設したコンクリートが硬化した後、前記インサートに吊りボルトをねじ込み、この吊りボルトに配管、ダクトなどを取り付ける方法が一般に採用されている。
【０００３】
また、従来、（１）全体として上に向かって彎曲または凸状とした板状または版状の止め金具の両端部を、デッキプレートにおける間隔をおいて対向する各傾斜ウェブに設けた凹部に係止するようにした吊り構造が知られている（例えば、特許文献１〜４参照）。
【０００４】
また、（２）上横部辺および下横部辺および縦部辺を備えた断面コ字状で逆台形状金具本体における上部両端の鋭角状角部を、それぞれデッキプレートにおける傾斜ウェブに設けた凹部に係合させるようにした天井材取付金具も知られている（例えば、特許文献５参照）。
【０００５】
ところで、デッキプレートにおける間隔をおいて対向する傾斜ウェブの被係止部間の幅寸法は、デッキプレートの部材長手方向で一定ではなく、多少の寸法ばらつきがあり、場合によっては、間隔が異なる場所がある。このような場所では、前記（１）および（２）の場合は、ほぼ一定寸法であるため、強固に係止させることが困難になる場合がある。
【０００６】
デッキプレートにおける間隔をおいて対向する傾斜ウェブの被係止部間の多少の寸法ばらつきに対応可能な技術として、（３）底板の両側に傾斜側板を有し、その傾斜側板の上端に係合部を備えた翼状部材と、受け金具とを備えた吊り金具が知られている（例えば、特許文献６参照）。
【特許文献１】実開昭６３−５１１５号公報
【特許文献２】実開平０４−１０６２０号公報
【特許文献３】特開平１０−２１９９１８号公報
【特許文献４】特開平１１−２８７００８号公報
【特許文献５】実開平０６−６５５１５号公報
【特許文献６】特開平０５−３３４２１号公報
【発明の開示】
【発明が解決しようとする課題】
【０００７】
前記（１）（２）の従来技術の課題を解消する技術としての前記（３）の吊り金具の場合には、吊り金具の主要部が、翼状部材と受け金具との２部品からなるので、構造が複雑になり加工製作コストが格段に高くなるという問題があった。
本発明は、デッキプレートにおける間隔をおいて対向する傾斜ウェブの被係止部間の多少の寸法ばらつきに対応可能であると共に、耐力が高く安価なデッキプレート用吊り金具およびそれを使用した吊構造を提供することを目的とする。
【課題を解決するための手段】
【０００８】  前記の課題を有利に解決するために、第１発明のデッキプレート用吊り金具では、デッキプレートの対向する傾斜したウェブの底面側で、ウェブの高さ方向中央部よりも上方に設けられた段部または溝部等の被係合部に係合可能な吊り金具であって、その吊り金具は、剛性のある吊り金具本体の長手方向の両端部に、前記被係合部に先端部が係合される弾性係止用アームを備え、その弾性係止用アームは、断面略への字状に屈曲した板材からなり、その断面略への字状に屈曲した板材の頂部が、剛性のある前記吊り金具本体の端部上端面よりも下方に位置し、前記吊り金具本体における間隔をおいて対向する各縦側板の長手方向の両端部に、上部になるにしたがって、漸次部材長手方向の外側になる急傾斜支承端面がそれぞれ設けられ、前記各縦側板の長手方向の両端部の各急傾斜支承端面により、それぞれ弾性係止用アームの基端側板体が支承可能にされ、前記急傾斜支承端面は、前記吊り金具本体における底板の延長線と急傾斜支承端面とのなす角度が前記底板の延長線と前記基端側板体とのなす角度と同じに設定された急傾斜支承端面とされ、前記各基端側板体の幅寸法は間隔をおいた各縦側板の急傾斜支承端面の間の内側間寸法よりも広くされて、前記基端側板体の側部が支承可能にされ、前記吊り金具本体における底板に各基端側板体が一体に接続していることを特徴とする。  また、第２発明では、第１発明のデッキプレート用吊り金具において、吊り金具本体の長手方向の両端部の弾性係止用アームに、横方向に張り出す回り止めを備えていることを特徴とする。  また、第３発明では、第２発明のデッキプレート用吊り金具において、吊り金具本体の長手方向の一端部の弾性係止用アームの回り止めと、他端部の弾性係止用アームの回り止めとは、吊り金具本体の幅方向で互いに異なる方向に張り出されていることを特徴とする。  また、第４発明では、第２または第３発明のデッキプレート用吊り金具において、各弾性係止用アームにおける前記回り止めと幅方向反対側のコーナー部は、平面視で円弧状部とされていることを特徴とする。  また、第５発明では、第２〜第４発明のいずれかに記載のデッキプレート用吊り金具において、前記弾性係止用アームと回り止めとは、溶接を用いないで、吊り金具本体に一体に屈曲連設されていることを特徴とする。  また、第６発明では、第１〜第５発明のいずれかに記載のデッキプレート用吊り金具において、吊り金具本体および弾性係止用アームは一枚の鋼板に折り曲げ加工が施されて屈曲形成されていることを特徴とする。  また、第７発明では、第１〜第６発明のいずれかに記載のデッキプレート用吊り金具において、吊り金具本体の中央部に雌ねじ孔を有することを特徴とする。  また、第８発明では、第１〜第７発明のいずれかに記載のデッキプレート用吊り金具において、弾性係止用アームの基端側板体と先端側板体とのなす角度が、２０度〜９０度とされていることを特徴とする。  また、第９発明では、第１発明〜第８発明のいずれかのデッキプレート用吊り金具において、断面略への字状に屈曲した板材の頂部に脆弱部が設けられていることを特徴とする。  また、第１０発明の吊り構造においては、第１発明〜第９発明のいずれかのデッ���プレート用吊り金具が、デッキプレートの対向する傾斜ウェブの底面側で、ウェブの段部または溝部等の被係合部に係合されていると共にデッキプレート用吊り金具に支持ボルトの上部雄ねじ軸部がねじ込まれていることを特徴とする。  また、第１１発明では、第１０発明の吊り構造において、デッキプレートの対向する傾斜ウェブの底面側で、ウェブの段部または溝部等の被係合部が、ウェブの高さ方向中央よりも上位の位置にそれぞれ設けられ、前記各被係合部にデッキプレート用吊り金具の両端部の弾性係止用アームの先端部がそれぞれ挿入係止されていることを特徴とする。
【発明の効果】
【０００９】
本発明によると、剛性のある吊り金具本体の長手方向の両端部に、前記被係合部に先端部が係合される弾性係止用アームを備えているので、デッキプレートにおける間隔をおいて、対向する傾斜ウェブの被係止部間の多少の寸法ばらつきに対応可能であると共に、耐力が高く安価なデッキプレート用吊り金具とすることができる等の効果が得られる。
したがって、デッキプレートにおけるウェブに形成された凹部または溝等の被係止部が、ウェブ高さ方向の上部の位置にあっても、剛性のある吊り金具本体とされているので、天井材等を、支持ボルトを介して吊り下げ支持した場合のハンガー強度が高い。
また、弾性係止用アームが、断面略への字状に屈曲した板材からなるので、弾性係止用アームの先端部弾性を確実に被係合部に係合させることができ、また、弾性係止用アームにおける先端側板体および基端側板体の曲げ弾性を発揮させることができ、ウェブ間幅方向の許容差が大きく、デッキプレート長手方向の被係合部間に多少の寸法ばらつきがあっても、弾性係止用アームの部分で弾性変形して容易に対応可能で確実強固に固定することができる。
また、断面略への字状に屈曲した板材からなる弾性係止用アームであるので、施工場所において、容易に作業員が手または手動工具で断面略への字状の弾性係止用アームを曲げることができるため、施工時にデッキプレートにおけるウェブ間の幅が広がっても、片持ち式の弾性係止用アームの角度を変えて（幅寸法の調整）姿勢を調整した上、セットすることができ、所定の耐力を得ることができる。
また、本発明の吊り金具は、その長手方向の両端部の曲げモーメントの小さい部位にデッキプレートの山幅方向（ウェブ間幅方向と同じ）の幅調整機能を有する弾性係止用アームを備えているので、幅方向の調整機能を有する弾性係止用アーム部分の断面性能が低くても、所定の耐力を得ることができる。
また、断面略への字状に屈曲した板材の頂部が、剛性のある吊り金具本体の端部上端面よりも下方に位置しているので、吊り金具本体側に弾性係止用アームを支承させる場合に、弾性係止用アームの頂部付近が金具本体のコーナー部付近で曲げ変形を受ける恐れを排除することができる。
また、吊り金具本体の長手方向の両端部の弾性係止用アームに、横方向に張り出す回り止めを備えているので、吊り金具が所定の位置以上に水平回動するのを防止し、所定の位置にセットすることができ施工性が高まり、かつ、吊り金具の両端部で幅方向において、互いに異なる方向に張り出されていると一層確実に回り止めを図ることができる。
また、回り止めと幅方向反対側のコーナー部は、平面視で円弧状部とされているので、吊り金具中心から円弧状部までの半径寸法を小さくして、吊り金具の水平回動時においてデッキプレートにおける傾斜ウェブと吊り金具のコーナー部との干渉を防止し、水平回動を容易にすることができる。
前記弾性係止用アームと回り止めとは、溶接を用いないで、吊り金具本体に一体に屈曲連設されているので、加工コストが安価になると共に構造が簡単で、耐久性を高めることができる。
吊り金具本体および弾性係止用アームは一枚の鋼板に折り曲げ加工が施されて屈曲形成されているので、加工が単純になり、容易に安価に製作することができる。
また、吊り金具本体の端部の急傾斜支承端面により、弾性係止用アームの基端側板体を支承可能にされているので、弾性係止用アームに大きな応力が作用して、弾性係止用アームの基端側板体が、吊り金具本体の中央側に向かって変形するような場合、基端面板を支承して、弾性係止用アームが大きく変形するのを防止することができる。
また、吊り金具本体の中央部に雌ねじ孔を有するので、これに支持ボルトをねじ込んで、支持ボルトで天井材等を支持する場合、確実に支持ボルトを介して支持することができる。
弾性係止用アームの基端側板体と先端側板体とのなす角度が、２０度〜９０度とされているので、弾性係止用アームが適度に弾性変形してその先端部を確実に被係止部に係止させることができる。
また、本発明の吊り金具が、デッキプレートの対向する傾斜ウェブの底面側で、ウェブの段部または溝部等の被係合部に係合されていると共に吊り金具に支持ボルトの上部雄ねじ軸部がねじ込まれている構造であるので、確実に吊り金具をデッキプレートに固定して、支持ボルトにより、天井材等を支持することができる。
また、本発明の吊り金具は、デッキプレートにおけるウェブ高さ方向の中央より上に配置して固定されているので、コンパクトに配置することができ、デッキプレートにおける下向き開口溝内に配置された吊り金具の下側で、かつ下向き開口溝内において、配管等の配置スペースを確保することができ、デッドスペースを少なくすることができる。
また、断面略への字状に屈曲した板材の頂部に脆弱部が設けられていると、デッキプレート用吊り金具デッキプレートに確実に係合させるために、突出部の角度をペンチ等の手動工具等により容易に調整することができる。
【発明を実施するための最良の形態】
【００１０】
次に、本発明を図示の実施形態に基づいて詳細に説明する。
【００１１】
先ず、図５および図６に示すデッキプレート用吊り金具１と、図７に示すデッキプレート用吊り金具１を展開した図を参照しながら説明すると、本発明の実施形態のデッキプレート用吊り金具１では、鋼板を打ち抜いて所定の形状に製作した板体に折り曲げ加工が施されて製作され、溶接等の接合手段は用いられていない。
【００１２】
図７における中央部の左右方向に延長する長方形状の底板２における幅方向両側に一点鎖線で示す各長辺である第１折り曲げ線３の部分で直角に起立されて各縦側板４が形成され、前記各縦側板４の長手方向の両端部は、高さ方向の上部になるにしたがって、漸次部材長手方向の外側に広がる急傾斜辺５ａを含む急傾斜支承端面５とされて、後記の弾性係止用アーム６のアーム基端側を支承可能にされている。
【００１３】
各縦側板４の各長辺である第４折り曲げ線２４の部分で水平に折り曲げられることにより、各縦側板４の上端部に、縦側板４に一体に屈曲形成された横方向外側に張り出す水平フランジ７が形成されて、底板２および縦側板４を備えた吊り金具本体８の曲げ剛性が高められている。前記の底板２の延長線と急傾斜支承端面５とのなす角度θは、例えば７５度に設定される。前記の傾斜角θは、前記弾性係止用アーム６における基端側板体６ａの傾斜角（底板２の延長線と基端側板体６ａとのなす角）とほぼ同じに設定すると、基端側板体６ａを確実に急傾斜支承端面５により面タッチ状態で支承することができ、急傾斜支承端面により支承した状態では、反力として、弾性係止用アーム６における先端側板体１１に横方向の分力と下向きの分力を作用させることができる。
【００１４】
前記長方形状の底板２の長手方向の両端部の一点鎖線で示す短辺である第２折り曲げ線９に接続するように、弾性係止用アーム６の基端側を構成するための基端側板体６ａが一体に設けられ、その基端側板体６ａの前後方向の幅寸法は、間隔をおいて対向する急傾斜支承端面５の内側間寸法よりも広く、各急傾斜支承端面５の外側間寸法よりも僅かに広い幅寸法とされている。前記のように基端側板体６ａの前後方向の幅寸法を設定することにより、前記第２折り曲げ線９の部分で基端側板体６ａを急傾斜状態で起立させて、急傾斜支承端面５に近接または接触するようにされて、片持ち式の弾性係止用アーム６の基端側板体６ａが構成され、弾性係止用アーム６の基端側板体６ａの側部を、縦側板４端部の急傾斜支承端面５に支承可能にされている。
【００１５】
前記の基端側板体６ａの傾斜角は、前記の通りであるが、急傾斜支承端面５に対して弾性係止用アーム６の基端側板体側部を接触させずに離した状態で近接配置する場合には、多少異なっていてもよいが、弾性係止用アーム６が弾性変形した時に、急傾斜支承端面５に支承させるようにする。
【００１６】
また、基端側板体６ａの長さ寸法（急傾斜状態で起立させた場合の高さ寸法）は、縦側板４の高さ寸法より低くされ、急傾斜支承端面５から基端側板体６ａが突出しないように、すなわち、弾性係止用アーム６における基端側板体６ａと先端側板体１１とにより形成される断面略への字状に屈曲した板材の頂部２６が、剛性のある吊り金具本体８の端部上端面（急傾斜支承端面５の上端）よりも下方に位置するようにされて、弾性係止用アーム６の基端側が、急傾斜支承端面５に支承される場合に、その急傾斜支承端面５から突出して曲げ変形を生じないようにされている。
【００１７】
前記基端側板体６ａの先端部に一体に、図７に一点鎖線で示す第２折り曲げ線９に平行な第３折り曲げ線１０を境界線として下向きに外側に広がるように急傾斜状態で傾斜する先端側板体１１が設けられている。前記の先端側板体１１の下端レベルは、前記底板２の下面レベルよりも上位のレベルとされている。前記の各先端側板体１１の前後方向の一端側には、横方向に張り出す突出部１２が一体に設けられて回り止め１２ａが形成され、各突出部１２は、点対称位置となるように設けられ、各先端側板体１１における突出部１２と反対側のコーナー部は、平面視で円弧状部１３とされ、施工性が向上するようにされている。
【００１８】
少なくとも底板２と縦側板４で構成される吊り金具本体８の長手方向の一端部の弾性係止用アーム６の回り止め１２ａと、他端部の弾性係止用アーム６の回り止め１２ａとは、吊り金具本体８の幅方向で互いに反対に異なる方向に張り出されていることで、デッキプレート用吊り金具本体８における回り止め１２ａを、デッキプレート１４におけるウェブ１５に接近させる方向に回動させる場合は、ウェブ１５の内側面に係合させてストッパとして機能させ、吊り金具１が回動不能になるようにされ、前記の回り止め１２ａをウェブ１５から離れるように回動した場合に、デッキプレート用吊り金具１を回動可能になるようにされている（図３参照）。
【００１９】
前記の各突出部１２のコーナー角部間を結ぶ対角方向の距離は、デッキプレート用吊り金具１を配置するデッキプレート１４の位置における段部または溝等の被係合部１６間の距離よりも大きくされて、突出部１２の外側コーナー角部２５が、デッキプレート１４のウェブ１５内側面に係合するようにされて回り止めが図られる。また、円弧状部１３間を結ぶ対角方向の距離よりも、デッキプレート１４側の被係合部１６間の距離が大きくされて、被係合部１６間の配置位置において、デッキプレート用吊り金具１を円弧状部１３側に水平回動可能にされている。
【００２０】
前記の第３折り曲げ線１０の部分を境にして、先端側板体１１を下向きに急傾斜状態で折り曲げることにより、断面略への字状（断面略逆Ｖ字状）の弾性係止用アーム６が形成され、前記の突出部１２により回り止め１２ａが形成されている。また、回り止め１２ａの反対側において円弧状部１３とされている。
【００２１】
前記の先端側板体１１と基端側板体６ａとの下面側がなす角度Ａは、２０度〜９０度の範囲において設定される。また、先端側板体１１の先端部を通る鉛直線と、先端側板体１１がなす角度α（図５参照）が９０度未満の鋭角になるようにされる。
【００２２】
前記のように、吊り金具本体８および弾性係止用アーム６を備えたデッキプレート用吊り金具１を製作すると、１枚の鋼板に折り曲げ加工を施して屈曲形成して、構造が簡単で安価に製作されたデッキプレート用吊り金具１とすることができる。
【００２３】
前記の底板２の中央部には、支持ボルト１７の雄ねじ軸部をねじ込むための雌ねじ孔２０が形成されている。
【００２４】
次に、図１〜図４を参照して、前記のデッキプレート用吊り金具１をデッキプレート１４に固定する場合について説明する。
【００２５】
図２および図３に実線で示すように、デッキプレート１４における左右の各傾斜ウェブ１５と、各傾斜ウェブ１５を一体に接続するフランジ１８とにより形成される下向き開口
溝１９部分に、デッキプレート用吊り金具１の長手方向が、前記下向き開口溝１９の長手方向となるように配置された状態で、デッキプレート用吊り金具１が円弧状部１３側に水平回動されて、傾斜ウェブ１５における段部または溝部等の被係合部１６に位置するようにされ、この状態で、吊り金具本体８における雌ねじ孔２０にねじ込まれた支持ボルト１７をさらにねじ込んで、図１に示すように、デッキプレート１４における下向き開口溝１９内におけるフランジ１８の下向き突出部下面２１を押圧することにより、その反作用として、弾性係止用アーム６の先端部を、デッキプレート１４側の被係合部１６に、強固に挿入係合させることにより、吊り金具本体８が強固にデッキプレート１４に取り付けられ、前記の支持ボルト１７により、天井材２２等を支持するように構成されている。
前記の場合、弾性係止用アーム６の部分は、デッキプレートの対向する傾斜ウェブの底面側で、各ウェブ１５における凹部または溝等の被係合部１６間の多少間隔が広くなっても、施工場所において、容易に作業員が手または手動工具で、断面略への字状の弾性係止用アーム６を曲げて調整するようにするとよい。
前記の弾性係止用アーム６は部材長手方向の端部にのみ配置されており、この部分の負担する曲げモーメントが小さいため、有利である。
【００２６】
前記実施形態では、デッキプレート１４における間隔をおいて対向する傾斜ウェブ１５の段部または溝部等の被係合部１６が、傾斜ウェブ１５の高さ方向中央よりも上位の位置にそれぞれ設けられ、前記各被係合部１６に吊り金具１の両端部の弾性係止用アーム６の先端部がそれぞれ挿入係止される吊り構造とされている。
【００２７】
本発明の前記実施形態におけるデッキプレート用吊り金具１の高さ寸法が、デッキプレート１４側の下向き開口溝１９の深さ寸法の１／２より小さい寸法とした場合、デッキプレート１４における傾斜ウェブ１５に設ける段部または溝部等の被係合部１６の位置が、傾斜ウェブ１５の高さ方向中央よりも上位の位置にあっても、確実に弾性係止用アーム６を、デッキプレート１４における被係合部１６に係合するように設置することができる。
また、前記実施形態では、部材長手方向の弾性係止用アーム６の先端部が、底板２と略同レベル付近に配置されているので、傾斜ウェブ１５側の被係合部１６が、傾斜ウェブ１５における下部の位置に設けられていても、吊り金具本体８が、下向き開口溝１９より下方に突出する寸法を小さくすることができる。
【００２８】
図８〜図１２は、本発明の第２実施形態を示すものであって、この形態と前記実施形態と相違する部分は、前記実施形態では、剛性のある吊り金具本体８における各縦側板４の上端部に、縦側板４に一体に屈曲形成された横方向外側に張り出す水平フランジ７が設けられ、この第２実施形態では、水平フランジ７が省略されている点が相違する。
【００２９】
前記のように縦側板４に水平フランジ７を設けない場合には、吊り金具本体８の板厚を厚くして、曲げ剛性の低下を防止することができる。その他の構成は、前記実施形態と同様であるので、同様な要素には同様な符号を付している。
【００３０】
図１３〜図１７は、本発明の第３実施形態を示すものであって、この形態では、吊り金具本体８全体を上に凸に円弧状に彎曲させ、縦側板４を円弧状の縦側板４に、水平フランジ７を円弧状の横フランジ２３とした形態としている。この形態では、吊り金具本体８が予め曲げ配置されているので、吊り金具本体８に天井板等の鉛直荷重が作用した場合には、吊り具本体８の端部が水平になるように変形した場合、デッキプレート１４の傾斜ウェブ１５に接近するようになるので、弾性係止用アーム６の先端部が、デッキプレート１４側の被係合部１６に押し付けられるようになり、一層確実に被係合部１６に係合されるようになる。
【００３１】
この形態では、第１実施形態の状態から全体を曲げ加工して、上に凸の円弧状としても
よいが、図１７に示すように、第１実施形態における水平フランジ７に相当する彎曲した横フランジ２３の部分と円弧状の縦側板４とをそれぞれ分離した部材とし、接着剤あるいはボルトあるいはこれらを併用して組み立てるようにしてもよい。その他の構成は、前記各実施形態と同様であるので、同様な要素には同様な符号を付した。
【００３２】
図１８および図１９は、本発明の第４実施形態を示すものであって、この形態では、断面略への字状に屈曲した板材の頂部２６に脆弱部２７が設けられている。このように頂部２６に脆弱部２７が設けられていると、デッキプレート用吊り金具１をデッキプレート１４の被係合部１６に確実に係合させるために、前記脆弱部２７を中心にして塑性変形させて、突出部１２の角度をペンチ等の手動工具等により容易に調整することができる。したがって、現場の作業性が向上する。
前記の脆弱部２７としては、図示の形態のように、一つまたは間隔をおいて複数の貫通孔２７ａまたは板厚を薄くした凹部を設けるようにしてもよく、また、頂部２６に沿って線状に板厚を薄くした凹部または窪み部を設けてもよい。
また、この形態では、弾性係止用アーム６の先端部に、直線状の傾斜部２８が設けられている。前記の傾斜部２８は、図１８（ａ）において、弾性係止用アーム６の先端部がストッパ２５側に向かうに従って回転半径中心側に僅かに接近する方向の直線状の傾斜である共に、図１９（ａ）において、弾性係止用アーム６の先端部において、ストッパ２５側が若干上位レベルになるように傾斜している直線状の傾斜部（傾斜角としては、例えば、１°〜１０°程度、傾斜部の基端側から先端部までの変位量としては、１ｍｍ〜３ｍｍ前後の変位でよい）とされている。
前記の弾性係止アーム６が多少弾性変形して、前記のような直線状の傾斜部２８がデッキプレート１４の被係合部１６に圧着するように接触した状態では、傾斜部２８の傾斜面が被係合部１６に係合するようになるため、円弧状部１３が図３に示す矢印方向とは逆方向にデッキプレート用吊り金具１が回転するのを防止するストッパ作用を発揮し、デッキプレート用吊り金具１が被係合部１６から外れるのを防止する機能を発揮することができ、また、図３における矢印方向へはストッパ部２５がストッパとして機能するので、装着後においては、時計方向および反時計方向の両方向の回動が防止でき、デッキプレート１４の被係合部１６から離脱するのを防止することができる。
そのために、前記の傾斜部２８は、デッキプレート用吊り金具１を回転させて、デッキプレート１４の被係合部１６に係合させるときに、係合用弾性アーム６の先端部の係合回転角または上下方向の弾性変形を多少多くさせて被係合部１６に深く係合させるためのものである。前記の傾斜部２８は、デッキプレート用吊り金具１が離脱しないようにするために、係合用弾性アームの先端部には、装着時の回転方向（図３に矢印で示す回転方向）の後部に向かって、漸次、張出し量が少なくなるような傾斜部２８である。
なお、デッキプレート用吊り金具１の回転半径方向で、前記の弾性係止用アーム６における先端側板体１１の先端面は、テーパー状の傾斜部２８であってもよく、このようにすると、弾性係止アーム６が弾性変形した場合に多少の角度が変化しても、テーパー状の傾斜部２８をデッキプレート１４の被係合部１６に線タッチまたは面タッチさせることができる。
【００３３】
これらの実施形態では、次のような作用を発揮することができる。
（１）剛性のある吊り金具本体の長手方向の両端部に、前記被係合部に先端部が係合される弾性係止用アームを備えているので、デッキプレートの対向する傾斜ウェブの底面側で、傾斜ウェブの被係止部間の多少の寸法ばらつきに対応可能であると共に、耐力が高く安価なデッキプレート用吊り金具とすることができる等の効果が得られる。
したがって、デッキプレートにおけるウェブに形成された凹部または溝等の被係止部が、ウェブ高さ方向の上部の位置にあっても、剛性のある吊り金具本体とされているので、天井材等を支持ボルトを介して吊り下げ支持した場合のハンガー強度が高い。
（２）弾性係止用アームが、断面略への字状に屈曲した板材からなるので、弾性係止用アームの先端部弾性を確実に被係合部に係合させることができ、また、弾性係止用アームにおける先端側板体および基端側板体の曲げ弾性を発揮させることができ、ウェブ間幅方向の許容差が大きく、デッキプレート長手方向の被係合部間に多少の寸法ばらつきがあっても、弾性係止用アームの部分で弾性変形して容易に対応可能で確実強固に固定することができる。
（３）断面略への字状に屈曲した板材からなる弾性係止用アームであるので、施工場所において、容易に作業員が手または手動工具で断面略への字状の弾性係止用アームを曲げることができるため、施工時にデッキプレートにおけるウェブ間の幅が広がっても、片持ち式の弾性係止用アームの角度を変えて（幅寸法の調整）姿勢を調整した上、セットすることができ、所定の耐力を得ることができる。
（４）本発明の吊り金具は、その長手方向の両端部の曲げモーメントの小さい部位にデッキプレートの山幅方向（ウェブ間幅方向と同じ）の幅調整機能を有する弾性係止用アームを備えているので、幅方向の調整機能を有する弾性係止用アーム部分の断面性能が低くても、所定の耐力を得ることができる。
（５）また、断面略への字状に屈曲した板材の頂部が、剛性のある吊り金具本体の端部上端面よりも下方に位置しているので、吊り金具本体側に弾性係止用アームを支承させる場合に、弾性係止用アームの頂部付近が金具本体のコーナー部付近で曲げ変形を受ける恐れを排除することができる。
（６）また、吊り金具本体の長手方向の両端部の弾性係止用アームに、横方向に張り出す回り止めを備えているので、吊り金具が所定の位置以上に水平回動するのを防止し、所定の位置にセットすることができ施工性が高まり、かつ、吊り金具の両端部で幅方向において、互いに異なる方向に張り出されていると一層確実に回り止めを図ることができる。
（７）また、回り止めと幅方向反対側のコーナー部は、平面視で円弧状部とされているので、吊り金具中心から円弧状部までの半径寸法を小さくして、吊り金具の水平回動時においてデッキプレートにおける傾斜ウェブと吊り金具のコーナー部との干渉を防止し、水平回動を容易にすることができる。
（８）前記弾性係止用アームと回り止めとは、溶接を用いないで、吊り金具本体に一体に屈曲連設されているので、加工コストが安価になると共に構造が簡単で、耐久性を高めることができる。
（９）吊り金具本体および弾性係止用アームは一枚の鋼板に折り曲げ加工が施されて屈曲形成されているので、加工が単純になり、容易に安価に製作することができる。
（１０）また、吊り金具本体の端部の急傾斜支承端面により、弾性係止用アームの基端側板体を支承可能にされているので、弾性係止用アームに大きな応力が作用して、弾性係止用アームの基端側板体が、吊り金具本体の中央側に向かって変形するような場合、基端面板を支承して、弾性係止用アームが大きく変形するのを防止することができる。
（１１）また、吊り金具本体の中央部に雌ねじ孔を有するので、これに支持ボルトをね
じ込んで、支持ボルトで天井材等を支持する場合、確実に支持ボルトを介して支持することができる。
（１２）弾性係止用アームの基端側板体と先端側板体とのなす角度が、２０度〜９０度とされているので、弾性係止用アームが適度に弾性変形してその先端部を確実に被係止部に係止させることができる。
（１３）また、本発明の吊り金具が、デッキプレートの対向する傾斜ウェブの底面側で、ウェブの段部または溝部等の被係合部に係合されていると共に吊り金具に支持ボルトの上部雄ねじ軸部がねじ込まれている構造であるので、確実に吊り金具をデッキプレートに固定して、支持ボルトにより、天井材等を支持することができる。
（１４）また、本発明の吊り金具は、デッキプレートにおけるウェブ高さ方向の中央より上に配置して固定されているので、コンパクトに配置することができ、デッキプレートにおける下向き開口溝内に配置された吊り金具の下側で、かつ下向き開口溝内において、配管等の配置スペースを確保することができ、デッドスペースを少なくすることができる。
（１５）また、断面略への字状に屈曲した板材の頂部に脆弱部が設けられていると、デッキプレート用吊り金具デッキプレートに確実に係合させるために、突出部の角度をペンチ等の手動工具等により容易に調整することができる。
なお、本発明において、剛性のある吊り金具本体とは、吊り金具をデッキプレートにおける間隔をおいて対向する傾斜ウェブ１５の被係止部間に係合した際に、吊り金具本体がたわまずに弾性係止用アーム６の係合が外れない程度の曲げ剛性がある吊り金具本体をいう。
【図面の簡単な説明】
【００３４】
【図１】本発明の第１実施形態のデッキプレート用吊り金具をデッキプレートにおける下向き開口溝内に配置し、支持ボルトをデッキプレートに押圧して、デッキプレート用吊り金具を固定した状態を示す一部縦断正面図である。
【図２】本発明の一実施形態のデッキプレート用吊り金具をデッキプレートにおける下向き開口溝内に配置し、デッキプレート用吊り金具を固定する前の状態を示す一部縦断正面図である。
【図３】デッキプレート用吊り金具を回動して、デッキプレートにおける下向き開口溝におけるデッキプレートにおける間隔をおいて溝とデッキプレート用吊り金具と（ａ）（ｂ）（ｃ）は一部縦断側面図である。
【図４】本発明の第１実施形態のデッキプレート用吊り金具とデッキプレートとを示す斜視図である。
【図５】第１実施形態の吊り金具本体を示すものであって、（ａ）は平面図、（ｂ）は（ａ）の正面図である。
【図６】第１実施形態の吊り金具本体を示すものであって、（ａ）は吊り金具本体の側面図、（ｂ）は図５（ａ）のＡ−Ａ線断面図である。
【図７】第１実施形態の吊り金具本体を展開した状態を示す平面図である。
【図８】本発明の第２実施形態のデッキプレート用吊り金具をデッキプレートにおける下向き開口溝内に配置し、支持ボルトをデッキプレートに押圧して、デッキプレート用吊り金具を固定した状態を示す一部縦断正面図である。
【図９】第２実施形態のデッキプレート用吊り金具とデッキプレートとを示す斜視図である。
【図１０】第２実施形態の吊り金具本体を示すものであって、（ａ）は平面図、（ｂ）は（ａ）の縦断正面図である。
【図１１】本発明の第２実施形態の吊り金具本体を示すものであって、（ａ）は吊り金具本体の側面図、（ｂ）は図１０（ａ）のＢ−Ｂ線断面図である。
【図１２】第２実施形態の吊り金具本体を展開した状態を示す平面図である。
【図１３】本発明の第３実施形態のデッキプレート用吊り金具をデッキプレートにおける下向き開口溝内に配置し、支持ボルトをデッキプレートに押圧して、デッキプレート用吊り金具を固定した状態を示す一部縦断正面図である。
【図１４】第３実施形態のデッキプレート用吊り金具とデッキプレートとを示す斜視図である。
【図１５】第３実施形態の吊り金具本体を示すものであって、（ａ）は平面図、（ｂ）は（ａ）の縦断正面図である。
【図１６】第３実施形態の吊り金具本体を示すものであって、（ａ）は吊り金具本体の側面図、（ｂ）は図１５（ａ）のＣ−Ｃ線断面図である。
【図１７】第３実施形態の吊り金具本体を展開した状態を示す平面図である。
【図１８】第４実施形態の吊り金具本体を示すものであって、（ａ）は吊り金具本体の平面図、（ｂ）は正面図である。
【図１９】第４実施形態の吊り金具本体を示すものであって、（ａ）は吊り金具本体の側面図、（ｂ）は図１８（ａ）のＤ−Ｄ線断面図である。
【符号の説明】
【００３５】
１  デッキプレート用吊り金具
２  底板
３  第１折り曲げ線
４  縦側板
５  急傾斜支承端面
５ａ  急傾斜辺
６  弾性係止用アーム
６ａ  基端側板体
７  水平フランジ
８  吊り金具本体
９  第２折り曲げ線
１０  第３折り曲げ線
１１  先端側板体
１２  突出部
１２ａ  回り止め
１３  円弧状部
１４  デッキプレート
１５  ウェブ
１６  被係合部
１７  支持ボルト
１８  フランジ
１９  下向き開口溝
２０  雌ねじ孔
２１  突出部下面
２２  天井材
２３  横フランジ
２４  第４折り曲げ線
２５  コーナー角部
２６  頂部
２７  脆弱部
２７ａ  貫通孔
２８  傾斜部
【図１】
0005025439.tif 000002
【図２】
0005025439.tif 000003
【図３】
0005025439.tif 000004
【図４】
0005025439.tif 000005
【図５】
0005025439.tif 000006
【図６】
0005025439.tif 000007
【図７】
0005025439.tif 000008
【図８】
0005025439.tif 000009
【図９】
0005025439.tif 000010
【図１０】
0005025439.tif 000011
【図１１】
0005025439.tif 000012
【図１２】
0005025439.tif 000013
【図１３】
0005025439.tif 000014
【図１４】
0005025439.tif 000015
【図１５】
0005025439.tif 000016
【図１６】
0005025439.tif 000017
【図１７】
0005025439.tif 000018
【図１８】
0005025439.tif 000019
【図１９】
0005025439.tif 000020